(57)【特許請求の範囲】
【請求項１】
袋体１上縁の接着部の前後方向中間部を開口して開口部５を形成し、かつ該開口部の前後両側の接着部部分に透孔６を穿設した詰替え袋Ａと、
口頸筒部７下端から装着筒部８を垂下して、該装着筒部外面を下方小外径のテーパ部に形成すると共に、装着筒部８上部の左右両部から弾性片９を介して左右方向へ割面を下向きにして半割状筒１０を突設し、これら左右両半割状筒の前後両側から前後方向へ挟持板１１を突設して、これら左右一方の側の挟持板下面に係合突起１２を、かつ他方の側の挟持板に係合孔１３を、それぞれ形成し、更に口頸筒部７に上下一対の鍔状係合板１４を付設した口頸部部材Ｂと、
底壁１５から起立する周壁１６上面を閉塞する頂壁１７中央部に挿通孔１８を穿設した筒１９を、周壁１６の母線沿いに複数のヒンジ部２０を残して軸線を含む平面で両開き自在に分割して形成した収納ケース体Ｃとを有し、
上記袋体開口部５へ装着筒部８下部を挿通させて、該装着筒部上部を袋体１上縁から上方へ突出させ、かつ上記弾性片９を下方へ屈曲して左右一対の半割状筒１０を装着筒部８外面へ袋体１上縁を介して嵌合させると共に、上記挟持板１１で袋体接着部を挟持させて、上記係合突起１２を上記透孔６を通して係合孔１３へ係合させて注出栓付き詰替え袋を形成し、
上記注出栓付き詰替え袋を収納ケース体Ｃ内へ収納して、上記口頸筒部７を挿通孔１８から上方へ突出させて、ケース体頂壁１７の内周部を上記一対の鍔状係合板１４間へ係合させた、
ことを特徴とする注出栓付き詰替え袋の収納ケース。
【発明の詳細な説明】
【０００１】
【発明の属する技術分野】
本発明は注出栓を取り付けた詰替え袋を収納する収納ケースに関する。
【０００２】
【従来の技術】
洗剤等を入れる物として、近年、材料費削減や嵩を考慮した輸送効率等の観点から合成樹脂製の容器の代わりに袋が使用されるようになってきている。
【０００３】
【発明が解決しようとする課題】
袋の場合、使用時の段階で口頸部の取付けが可能であるため、袋を傾けて洗剤等を注出するだけで足りる場合には不都合は生じないが、例えば、特定の箇所に洗剤等を噴射する必要がある場合等には不便であった。
【０００４】
そこで、請求項１記載の発明に係る注出栓付き詰替え袋の収納ケースは、詰替え袋を収納する収納ケース体を有し、該収納ケース体から口頸筒部を突出させることにより、該口頸筒部にポンプ等の噴出手段を装着させ得るようにして、詰替え袋に入った洗剤等を噴出可能にしようとするものである。
【０００５】
【課題を解決するための手段】
第１の手段として、袋体１上縁の接着部の前後方向中間部を開口して開口部５を形成し、かつ該開口部の前後両側の接着部部分に透孔６を穿設した詰替え袋Ａと、
口頸筒部７下端から装着筒部８を垂下して、該装着筒部外面を下方小外径のテーパ部に形成すると共に、装着筒部８上部の左右両部から弾性片９を介して左右方向へ割面を下向きにして半割状筒１０を突設し、これら左右両半割状筒の前後両側から前後方向へ挟持板１１を突設して、これら左右一方の側の挟持板下面に係合突起１２を、かつ他方の側の挟持板に係合孔１３を、それぞれ形成し、更に口頸筒部７に上下一対の鍔状係合板１４を付設した口頸部部材Ｂと、
底壁１５から起立する周壁１６上面を閉塞する頂壁１７中央部に挿通孔１８を穿設した筒１９を、周壁１６の母線沿いに複数のヒンジ部２０を残して軸線を含む平面で両開き自在に分割して形成した収納ケース体Ｃとを有し、
上記袋体開口部５へ装着筒部８下部を挿通させて、該装着筒部上部を袋体１上縁から上方へ突出させ、かつ上記弾性片９を下方へ屈曲して左右一対の半割状筒１０を装着筒部８外面へ袋体１上縁を介して嵌合させると共に、上記挟持板１１で袋体接着部を挟持させて、上記係合突起１２を上記透孔６を通して係合孔１３へ係合させて注出栓付き詰替え袋を形成し、
上記注出栓付き詰替え袋を収納ケース体Ｃ内へ収納して、上記口頸筒部７を挿通孔１８から上方へ突出させて、ケース体頂壁１７の内周部を上記一対の鍔状係合板１４間へ係合させた。
【０００６】
【発明の実施の形態】
以下、本発明に係る注出栓付き詰替え袋の収納ケースの実施形態を図面を参照しながら説明する。この収納ケースは詰替え袋、口頸部部材及び収納ケース体を主要部材とする。
Ａは詰替え袋で、袋体１下縁を接着して密封すると共に、袋体１上縁をその前後方向中間部を残して接着し、非接着部２とその前後両側の接着部分とのそれぞれの上端から起立片３を起立して、該起立片の下端を除く外周部を接着して中空部４を形成し、かつ、図２に点線で示すように、この中空部４をその下端から切除して、非接着部２を開口部５に形成する。
さらにこの開口部５の前後両側の接着部部分に透孔６を穿設する。
【０００７】
Ｂは口頸部部材で、口頸筒部７下端から装着筒部８を垂下して、該装着筒部外面を下方小外径のテーパ部に形成すると共に、装着筒部８上部の左右両部から弾性片９を介して左右方向へ割面を下向きにして半割状筒１０を突設し、これら左右両半割状筒の前後両側から前後方向へ挟持板１１を突設する。そして装着筒部８の右側に位置する挟持板下面に係合突起１２を形成すると共に、左側に位置する挟持板に係合孔１３を穿設する。
さらに口頸筒部７の上下方向中間部に上下一対の鍔状係合板１４を上下に所定の間隔をおいて付設する。
【０００８】
Ｃは収納ケース体で、底壁１５から起立する周壁１６上面を閉塞する頂壁１７中央部に挿通孔１８を穿設した筒１９を、周壁１６後部の母線沿いに上下一対のヒンジ部２０を残して、軸線を含む平面で両開き自在に分割して形成する。
さらに周壁１６の右半部前面の上下方向中間部からロック板２１を突設して、該ロック板に係合孔を形成すると共に、周壁１６の左半部前面から係合突部２２を突設して、該係合突部をロック板２１の係合孔へ係合させる。
【０００９】
上記では説明の便宜上、各主要部材について個別に説明したが、以下では各部材相互の結合関係について説明する。
袋体開口部５へ装着筒部８下部を挿通させて、該装着筒部上部を袋体１上縁から上方へ突出させ、かつ弾性片９を下方へ屈曲して左右一対の半割状筒１０を装着筒部８外面へ袋体１上縁を介して嵌合させると共に、挟持板１１で袋体１接着部を挟持させて、係合突起１２を透孔６を介して係合孔１３へ係合させて注出栓付き詰替え袋を形成する。
【００１０】
上記のようにして形成した注出栓付き詰替え袋を開放状態の収納ケース体Ｃ内へ収納して、口頸筒部７を挿通孔１８から上方へ突出させ、次いで収納ケース体Ｃを閉鎖して、頂壁１７の内周部を一対の鍔状係合板１４間へ係合させ、最後に係合突部２２をロック板２１の係合孔へ係合させる。
【００１１】
詰替え袋Ａ内の内容物を、例えば、液体注出ポンプにより噴出させる場合には、図１において点線で示すように、ノズル付き押下げヘッド２３を口頸筒部７外面へ嵌合させる。ノズル付き押下げヘッド２３は図示しないステムを垂設し、該ステムはその下端に、シリンダ内へ上下動自在に嵌合させた筒状ピストンを有する。２４はシリンダから垂下する吸上げパイプである。
【００１２】
いまノズル付き押下げヘッド２３を押し下げると、筒状ピストンが下降してシリンダ内液体を高圧化してノズルから噴出させる。
一方、ノズル付き押下げヘッド２３が上昇すると、これと共に筒状ピストンが上昇してシリンダ内が負圧化するため、詰替え袋Ａ内の液体が吸上げパイプ２４を介してシリンダ内へ吸上げられる。
このような液体注出ポンプは実開平４−１２４９５６号や実開平４−１１２０５０号等に記載されているように公知である。
なお、口頸筒部７へ装着可能な噴出器は上記に限らず、例えば、実開平１−１７９７６１号に記載されているようなトリガー式噴出器も装着可能である。
【００１３】
次に本実施形態の作用について説明する。
詰替え袋Ａ内の内容物をポンプにより噴出させるには、袋体１上縁を開口して、開口部５に口頸部部材Ｂを装着した後、これを収納ケース体Ｃ内へ収納して、口頸筒部７外面へ液体注出ポンプの押下げヘッド２３を装着させればよく、すると収納ケース体Ｃを把持して押下げヘッド２３を押し下げることが可能になる。
【００１４】
【発明の効果】
請求項１記載の注出栓付き詰替え袋の収納ケースは、詰替え袋を収納ケース体内へ収納するため、口頸筒部へ装着した噴出器の操作を収納ケース体を把持して行うことができ、従って、詰替え袋の傾倒による注出では洗剤等の内容物を付着させることが困難な箇所へも噴出により付着させることができる。
また装着筒部外面を下方小外径のテーパ部に形成したので、袋体の開口部の口径に製造上の誤差が生じても、装着筒部外面と開口部との間に隙間が生ずることがなく、従って、開口部口径の寸法精度を低くすることができる。
【図面の簡単な説明】
【図１】本発明に係る注出栓付き詰替え袋の収納ケースを示すもので、収納ケース体を断面にして詰替え袋と口頸部部材との左側面を示した側面図。
【図２】同じく、詰替え袋上縁の開口部形成前の状態を示す部分側面図。
【図３】同じく、左半図は図４のＸ−Ｘ方向から、右半図はＹ−Ｙ方向から見た矢視図。
【図４】同じく、口頸部部材の斜視図。
【図５】同じく、収納ケース体の斜視図。
【符号の説明】
１  袋体
５  開口部
６  透孔
７  口頸筒部
８  装着筒部
９  弾性片
１０  半割状筒
１１  挟持板
１２  係合突起
１３  係合孔
１４  鍔状係合板
１５  底壁
１６  周壁
１７  頂壁
１８  挿通孔
１９  筒
２０  ヒンジ部
Ａ  詰替え袋
Ｂ  口頸部部材
Ｃ  収納ケース体
【図１】
0003803996.tif 000002
【図２】
0003803996.tif 000003
【図３】
0003803996.tif 000004
【図４】
0003803996.tif 000005
【図５】
0003803996.tif 000006